(57)【要約】【課題】  多くの異なる回路構成を持つインバータ式蛍光灯器具に対応できる蛍光管型のＬＥＤ照明を提供する。【解決手段】  通常の蛍光管における電極部分に当たる部分に、それと同程度のインピーダンスを持つインダクタＡ（４）と（５）を設置して導通を確保する。  両インダクタＡに並列にリレー回路（２）と抵抗（６）を設置して、通電前における両インダクタＡ間の絶縁状態を確保する。  通常の蛍光管の放電時と同程度のインピーダンスを持つインダクタＢ（７）及びインダクタＣ（８）を設置して、通電時の正常な動作電流を確保する。インダクタＢ（７）及びインダクタＣ（８）間で降圧（分圧）した電流を、並列に設置した整流・平滑回路（１）により直流に変換し、直流電源を確保する。（１）の出力側にＬＥＤ基板（３）を設置し、照明として利用する。【選択図】図１
2012221940.tif 000002
【特許請求の範囲】
【請求項１】
蛍光管型ＬＥＤ照明の内部回路において、通常の蛍光管の電極にあたる部分に、その電極と同程度のインピーダンスを持つインダクタＡを設置して、電極部分の導通を確保する。
【請求項２】
通常の蛍光管が放電する際と同程度のインピーダンスを有するインダクタＢを両インダクタＡの間に設置して、動作時における電極間の導通を確保する。
【請求項３】
インダクタＡとインダクタＢの間にリレー回路を設置して、電圧加圧前の両電極間の絶縁状態を確保する。
【請求項４】
インダクタＢの両端より得た動作電流を、整流・平滑回路およびＤＣ／ＤＣコンバータ回路にて定電圧直流電源に変換することにより、安定した電源電圧でＬＥＤ照明を点灯させる。
【発明の詳細な説明】
【技術分野】
【０００１】  本発明はインバータ式蛍光灯器具に通常の蛍光管のように装着し使用できる蛍光管型のＬＥＤ照明器具である。
【背景技術】
【０００２】  従来から使われている蛍光管型ＬＥＤ照明器具は、本体内部にコイル・ダイオード・スイッチングレギュレータ・コンデンサ・抵抗・トランスなどで構成された回路により、変圧（または降圧）・整流・平滑などを行い、ＬＥＤ素子を点灯させるものが殆どであった。
【先行技術文献】
【特許文献】
【０００３】
【特許文献１】特開２００９−１０５３５５
【特許文献２】特開２０１０−１７７０３８
【発明の概要】
【発明が解決しよとする課題】
【０００４】  グローランプを有する従来の蛍光灯器具の場合、蛍光管の両電極間に加わる電圧は無負荷時で１００Ｖ前後である（１００Ｖ用器具の場合）。
そして、これはラピッドスタート式や電子安定器の器具でも同じである。
※  但し、蛍光管を放電させるためにスイッチを入れた当初は高い電圧（インダクションキック電圧）が加わる。
【０００５】  しかしながら、Ｈｆ灯などのインバータ式蛍光灯は器具本体の回路構成が従来の蛍光灯と大きく異なっているために、従来の蛍光管型ＬＥＤ照明器具を装着しても下記の３つの課題に示すような事象が起き、使用できないことがあった。
【０００６】（課題１）
当初は点灯するが、しばらく使用していると点灯しなくなる。
（課題２）
点灯するが暗い。
（課題３）
最初から点灯しない。
【０００７】  上記の課題のような事象が起こるため従来品ではインバータ式蛍光灯に使用する場合、器具本体の安定器を取り外しＬＥＤ照明用の電源装置に交換して使用するものが多かった。
【０００８】  しかしながら、これでは通常の蛍光管のようにソケットに差し替えるだけで使用できるという、蛍光管型ＬＥＤ照明の利点が損なわれるものである。
【０００９】  本発明はインバータ式蛍光灯器具本体に手を加えることなく、なおかつ上記の３つの課題も克服し、蛍光管型ＬＥＤ照明を通常の蛍光管と同じように蛍光灯器具のソケット部分に口金を差し込むだけで使用できる様にしたものである。
【課題が生ずる原因】
【００１０】  上記の課題が生ずる原因としては下記の３つが挙げられるので、図２を参照して説明する。
インバータ式蛍光灯の回路は、図２に示すような構成になっている。
商用の交流電源を整流・平滑回路でまず直流に変換した後、高周波発振回路で数十ｋＨｚの交流を発振し、高周波安定器を介して蛍光管に電流を送る構造である。
【００１１】（原因１）
高周波発振回路で発生させる電圧が通常の蛍光灯器具に比べて高いものがあり、蛍光管の両電極間（Ｆ１とＦ２の間）に加わる電圧も高い。
そのために当初は使用できるが、しばらく使っているとＬＥＤ照明器具の内部回路の素子が絶縁破壊などの劣化で使用できなくなり、（課題１）のような事象が起こる。
【００１２】（原因２）
高周波発振回路で発生させる周波数が比較的高い（７０〜８０ｋＨｚ程度）代わりに、電圧が通常の蛍光灯器具に比べて低いものがあり、蛍光管の両電極間（Ｆ１とＦ２の間）に加わる電圧も低い。
そのために、使用はできるが従来のＬＥＤ照明器具の定格電圧以下のために、（課題２）のような事象が起こる。
【００１３】  高周波発振回路に保護回路を持っている器具がある。
保護回路の機能としては下記の２つがある。
（原因３）
蛍光管が切れている状態でも発振を続けていると、スイッチが入った状態では常に電極部分に電圧が加わっていることになる。
通常、器具のソケット部分は内部の電極部分に触れられない構造にはなっているが、蛍光管を取り替える際などに何らかの原因で接触すると感電する恐れがある。
その保護機能として、器具のスイッチを入れると回路が先ず蛍光管の電極部分（Ｆ１およびＦ２）の導通を検知する。
導通が検知できなければ蛍光管（電極部分）が切れている可能性があるため、高周波発振をしないものである。
通常、蛍光管内電極のフィラメントはコイル状で、直流に対しては数Ω程度の小さい抵抗しかない。
また、交流にはインピーダンスとして働くが、小さい電流では十分なインダクタンスが得られないのでインピーダンスも小さい。
一方、従来の蛍光管型ＬＥＤ照明の多くは、口金の端子内側にブリッジダイオードやトランスなどを持っていて、これらの素子は弱い電圧に対して大きな抵抗として働く。
そのため保護回路が働いて発振をせず、最初から電極部分に動作電圧が加わらないために、（課題３）のような事象が起こる。
【００１４】（原因４）
蛍光管の内部は数ｈＰａという非常に薄いガスが封入されており、高い電圧を加えて放電させない限り、蛍光管内の両電極間は通常は絶縁状態にある。
蛍光管が点灯していない状態で両電極間（Ｆ１とＦ２の間）に導通がある場合、器具が短絡（ショート）している可能性があり、その状態で動作電流が流れると器具が破損する恐れがある。
その保護機能として、器具のスイッチを入れると回路が先ず蛍光管の両電極間の導通を検知し、導通が検知されると器具内部で短絡している可能性があるため、高周波発振をしないものである。
一方、従来の蛍光管型ＬＥＤ照明の多くは内部で閉回路を構成していて、初期電圧が加わる前に両電極間に導通がある。
そのため保護回路が働いて発振をせず、最初から電極部分に動作電圧が加わらないために、（課題３）のような事象が起こる。
【課題を解決するための手段】
【００１５】  蛍光管型ＬＥＤ照明の内部に図１に示すような回路を構成し、上記の課題（課題１〜３）を克服する。
【発明を実施するための形態】
【００１６】  本発明の実施形態および、その効果について図１を参照して説明する。
（形態１）
上記（課題１）および（課題２）の課題を克服するために、ＬＥＤ照明器具本体の内部に、整流・平滑回路（１）と定電圧出力型のＤＣ／ＤＣコンバータ回路（２）を設ける。
ＤＣ／ＤＣコンバータは絶縁型・非絶縁型などがあり、また内部の回路構成も多くの種類が流通しているので、下記の２点の機能を有しているものであれば種類は問わない。
（機能１）
ＤＣ入力側の定格電圧の幅が、各種のインバータ式蛍光灯における動作電圧の幅を（１）で降圧した範囲内であること。
（機能２）
ＤＣ出力側の定電圧出力がＬＥＤ基板（３）の定格電圧であり、なおかつ出力側の定格電力がＬＥＤ基板（３）の消費電力の定格を上回っていること。
【００１７】  上記の整流・平滑回路（１）で直流にした電流を、ＤＣ／ＤＣコンバータ回路（２）により定電圧出力にすることにより、（原因１）及び（原因２）によって生ずる（課題１）と（課題２）を克服できる。
【００１８】（形態２）
通常、蛍光管のフィラメントは直流に対して数Ω程度の抵抗があり、また、動作時の高周波電流に対してある程度のインピーダンスを有する。
これと同程度のインピーダンスを有するコイルや抵抗を設けることにより、切れていないフィラメントと同じ状態を作り出せる。
上記（原因３）による（課題３）を克服するために、口金内側の両電極部分にインダクタＡ（４）と（５）を設ける。
ここで、（４）と（５）は左右対称に同じ構成である。
また、インダクタＡは抵抗でも置き換えられるが、抵抗では動作電流での熱損失が大きくなるために好ましくない。
【００１９】（形態３）
上記（課題３）のうち、（原因４）を克服するために、図のようにリレー回路（６）と抵抗（７）を設ける。
ここで、（７）は（６）の回路全体と同程度のインピーダンスを有するものである。
図中でリレー回路の内部構成をＤＣコイルのタイプで示しているが、これはＡＣコイルのリレーを使用した構成でも構わない。
また、リレーは機械式リレーでも動作するが、双方向サイリスタを使ったものやソリッドステートリレーなどの半導体式のほうが好ましい。
図１に示すような構成により、動作時に（４）と（５）の間での導通を確保するとともに、電圧加圧前の両電極間の絶縁状態を確保する。
【００２０】（形態４）
通常、蛍光管の使用時（放電中）には、動作時の高周波電流に対してある程度のインピーダンスを有する。
これと同程度のインピーダンスを有するインダクタＢ（８）を設けることにより、通常の蛍光管の装着時のように、器具の正常動作を継続できる。
上記の（形態３）と（形態４）の組み合わせることにより（原因４）によって生ずる（課題３）を克服できる。
また、インダクタＢは抵抗でも置き換えられるが、抵抗では動作電流での熱損失が大きくなるために好ましくない。
【００２１】（形態５）
インダクタＢ（８）に対し、図１のように（１）と（２）を接続し、上記の（形態２〜４）の組み合わせにより得られた動作電流を直流変換して取り出し、（３）に接続する。
【００２２】  上記の実施形態（形態１〜５）を組み合わせて実施することにより、（原因１〜４）によって生ずる（課題１〜３）を克服できる。
【図面の簡単な説明】
【００２３】
【図１】本発明の内部回路構成
【図２】インバータ式蛍光灯器具の一般的な回路構成
【符号の説明】
【００２４】  Ｆ１．  蛍光管内の電極（フィラメント）
Ｆ２．  同上
（１）．整流・平滑回路
（２）．定電圧出力型ＤＣ／ＤＣコンバータ回路
（３）．ＬＥＤ基板（ＬＥＤ素子を複数配置したもの）
（４）．インダクタＡ
（５）．４の左右対称配置したもの
（６）．リレー回路
（７）．抵抗
（８）．インダクタＢ
【図１】
2012221940.tif 000003
【図２】
2012221940.tif 000004
【手続補正書】
【提出日】平成24年5月2日(2012.5.2)
【手続補正１】
【補正対象書類名】特許請求の範囲
【補正対象項目名】全文
【補正方法】変更
【補正の内容】
【特許請求の範囲】
【請求項１】
蛍光管型ＬＥＤ照明の内部回路において、通常の蛍光管の電極にあたる部分に、その電極と同程度のインピーダンスを持つインダクタＡを設置して、電極部分の導通を確保する。
【請求項２】
通常の蛍光管が放電する際と同程度のインピーダンスを有するインダクタＢ及びインダクタＣを両インダクタＡの間に設置して、動作時における電極間の導通を確保する。
【請求項３】
インダクタＡとインダクタＢの間にリレー回路を設置して、電圧加圧前の両電極間の絶縁状態を確保する。
【請求項４】
インダクタＢ及びインダクタＣにより降圧（分圧）して得た動作電流を、整流・平滑回路にて直流電流に変換することにより、安定した電源電圧でＬＥＤ照明を点灯させる。
【手続補正２】
【補正対象書類名】明細書
【補正対象項目名】全文
【補正方法】変更
【補正の内容】
【発明の詳細な説明】
【技術分野】
【０００１】  本発明はインバータ式蛍光灯器具に通常の蛍光管のように装着し使用できる蛍光管型のＬＥＤ照明器具である。
【背景技術】
【０００２】  従来から使われている蛍光管型ＬＥＤ照明器具は、本体内部にコイル・ダイオード・スイッチングレギュレータ・コンデンサ・抵抗・トランスなどで構成された回路により、変圧（または降圧）・整流・平滑などを行い、ＬＥＤ素子を点灯させるものが殆どであった。
【先行技術文献】
【特許文献】
【０００３】
【特許文献１】特開２００９−１０５３５５
【特許文献２】特開２０１０−１７７０３８
【発明の概要】
【発明が解決しよとする課題】
【０００４】  グローランプを有する従来の蛍光灯器具の場合、蛍光管の両電極間に加わる電圧は無負荷時で１００Ｖ前後である（１００Ｖ用器具の場合）。
そして、これはラピッドスタート式や電子安定器の器具でも同じである。
※  但し、蛍光管を放電させるためにスイッチを入れた当初は高い電圧（インダクションキック電圧）が加わる。
【０００５】  しかしながら、Ｈｆ灯などのインバータ式蛍光灯は器具本体の回路構成が従来の蛍光灯と大きく異なっているために、従来の蛍光管型ＬＥＤ照明器具を装着しても下記の２つの課題に示すような事象が起き、使用できないことがあった。
【０００６】（課題１）
当初は点灯するが、しばらく使用していると点灯しなくなる。
（課題２）
最初から点灯しない。
【０００７】  上記の課題のような事象が起こるため従来品ではインバータ式蛍光灯に使用する場合、器具本体の安定器を取り外しＬＥＤ照明用の電源装置に交換して使用するものが多かった。
【０００８】  しかしながら、これでは通常の蛍光管のようにソケットに差し替えるだけで使用できるという、蛍光管型ＬＥＤ照明の利点が損なわれるものである。
【０００９】  本発明はインバータ式蛍光灯器具本体に手を加えることなく、なおかつ上記の３つの課題も克服し、蛍光管型ＬＥＤ照明を通常の蛍光管と同じように蛍光灯器具のソケット部分に口金を差し込むだけで使用できる様にしたものである。
【課題が生ずる原因】
【００１０】  上記の課題が生ずる原因としては下記の３つが挙げられるので、図２を参照して説明する。
インバータ式蛍光灯の回路は、図２に示すような構成になっている。
商用の交流電源を整流・平滑回路でまず直流に変換した後、高周波発振回路で数十ｋＨｚの交流を発振し、高周波安定器を介して蛍光管に電流を送る構造である。
【００１１】（原因１）
インバータ式蛍光灯の場合、蛍光管を放電させるために先ず初期電圧として３００Ｖ未満の高い電圧が加わる（インダクションキック電圧に相当）。
その後、蛍光管が放電すると両電極間（Ｆ１とＦ２の間）が通電状態となり、電極間のインピーダンスが低くなると初期電圧から通常点灯時の電圧まで下がり、点灯状態が維持される。
しかし、従来の蛍光管型ＬＥＤ照明器具は回路内部のインピーダンスが蛍光管の点灯時に比べてかなり高いため、高周波発信回路が初期電圧を加えたまま継続してしまう。
そのために点灯するが、しばらく使っているとＬＥＤ照明器具の内部回路の素子が絶縁破壊などの劣化で使用できなくなり、（課題１）のような事象が起こる。
【００１２】高周波発振回路に保護回路を持っている器具がある。
保護回路の機能としては下記の２つがある。
（原因２）
蛍光管が切れている状態でも発振を続けていると、スイッチが入った状態では常に電極部分に電圧が加わっていることになる。
通常、器具のソケット部分は内部の電極部分に触れられない構造にはなっているが、蛍光管を取り替える際などに何らかの原因で接触すると感電する恐れがある。
その保護機能として、器具のスイッチを入れると回路が先ず蛍光管の電極部分（Ｆ１およびＦ２）の導通を検知する。
導通が検知できなければ蛍光管（電極部分）が切れている可能性があるため、高周波発振をしないものである。
通常、蛍光管内電極のフィラメントはコイル状で、直流に対しては数Ω程度の小さい抵抗しかない。
また、交流にはインピーダンスとして働くが、小さい電流では十分なインダクタンスが得られないのでインピーダンスも小さい。
一方、従来の蛍光管型ＬＥＤ照明の多くは、口金の端子内側にブリッジダイオードやトランスなどを持っていて、これらの素子は弱い電圧に対して大きな抵抗として働く。
そのため保護回路が働いて発振をせず、最初から電極部分に動作電圧が加わらないために、（課題２）のような事象が起こる。
【００１３】（原因３）
蛍光管の内部は数ｈＰａという非常に薄いガスが封入されており、高い電圧を加えて放電させない限り、蛍光管内の両電極間は通常は絶縁状態にある。
蛍光管が点灯していない状態で両電極間（Ｆ１とＦ２の間）に導通がある場合、器具が短絡（ショート）している可能性があり、その状態で動作電流が流れると器具が破損する恐れがある。
その保護機能として、器具のスイッチを入れると回路が先ず蛍光管の両電極間の導通を検知し、導通が検知されると器具内部で短絡している可能性があるため、高周波発振をしないものである。
一方、従来の蛍光管型ＬＥＤ照明の多くは内部で閉回路を構成していて、初期電圧が加わる前に両電極間に導通がある。
そのため保護回路が働いて発振をせず、最初から電極部分に動作電圧が加わらないために、（課題２）のような事象が起こる。
【課題を解決するための手段】
【００１４】  蛍光管型ＬＥＤ照明の内部に図１に示すような回路を構成し、上記の課題（課題１、２）を克服する。
【発明を実施するための形態】
【００１５】  本発明の実施形態および、その効果について図１を参照して説明する。
（形態１）
上記（課題１）の課題を克服するために、ＬＥＤ照明器具本体の内部に、整流・平滑回路（１）とインダクタＢ（７）とＣ（８）を設ける。
【００１６】通常の蛍光管の点灯時と同程度のインピーダンスを有するインダクタＢ（７）とＣ（８）の直列回路を設けることにより、照明器具の正常動作を継続できる。
上記インダクタＢ（７）とＣ（８）によりＬＥＤ素子の点灯に必要な電圧まで降圧（分圧）し、整流・平滑回路（１）で直流にした電流をＬＥＤ基盤（３）で使用する。
これにより（原因１）によって生ずる（課題１）を克服できる。
また、インダクタＢとＣは抵抗でも置き換えられるが、抵抗では動作電流での熱損失が大きくなるために好ましくない。
【００１７】（形態２）
通常、蛍光管のフィラメントは直流に対して数Ω程度の抵抗があり、また、動作時の高周波電流に対してある程度のインピーダンスを有する。
これと同程度のインピーダンスを有するコイルや抵抗を設けることにより、切れていないフィラメントと同じ状態を作り出せる。
上記（原因２）による（課題２）を克服するために、口金内側の両電極部分にインダクタＡ（４）と（５）を設ける。
ここで、（４）と（５）は左右対称に同じ構成である。
また、インダクタＡは抵抗でも置き換えられるが、抵抗では動作電流での熱損失が大きくなるために好ましくない。
【００１８】（形態３）
上記（課題２）のうち、（原因３）を克服するために、図のようにリレー回路（２）と抵抗（６）を設ける。
ここで、（６）は（２）の回路全体と同程度のインピーダンスを有するものである。
図中でリレー回路の内部構成を双方向サイリスタを使用した交流タイプの構成で示しているが、これはブリッジダイオードで整流した後、ＦＥＴ等を使用する直流タイプの構成でも構わない。
またリレーは機械式リレーでも動作するが、半導体式のほうがより好ましい。
図１に示すような構成により、動作時に（４）と（５）の間での導通を確保するとともに、電圧加圧前の両電極間の絶縁状態を確保する。
また、図中でリレー回路内部に切り替えスイッチが示してあるが、（原因３）の保護回路を持たない照明器具の場合はリレー回路が不要なため、切り替えスイッチを設ける。
【００１９】上記の（形態１）と（形態３）の組み合わせることにより（原因３）によって生ずる（課題２）を克服できる。
また、上記（形態１〜３）を組み合わせた回路構成を持つことにより、各種インバータ式蛍光灯に対応できる。
【図面の簡単な説明】
【００２０】
【図１】本発明の内部回路構成
【図２】インバータ式蛍光灯器具の一般的な回路構成
【符号の説明】
【００２１】Ｆ１．    蛍光管内の電極（フィラメント）
Ｆ２．    同上
（１）．  整流・平滑回路
（２）．  リレー回路
（３）．  ＬＥＤ基板（ＬＥＤ素子を複数配置したもの）
（４）．  インダクタＡ
（５）．  ４の左右対称配置したもの
（６）．  抵抗
（７）．  インダクタＢ
（８）．  インダクタＣ
【手続補正３】
【補正対象書類名】図面
【補正対象項目名】図１
【補正方法】変更
【補正の内容】
【図１】
2012221940.tif 000005